(57)【特許請求の範囲】
【請求項１】
前側から後側へ順次積層された液晶パネル、光学シート及びバックライト並びに前側が開口されており、少なくとも該光学シート及びバックライトを収容する箱状の収容体と、該液晶パネル及び収容体の周面側を覆うと共に、該液晶パネルの前側周縁部に当接する枠状部材とを有する液晶モジュールを備える液晶表示装置であって、
前記液晶モジュールの周縁に沿って延在し、延在方向に直交する断面形状が前記液晶モジュール側に開いたコの字状をなし、前記収容体及び枠状部材に部分的に当接して、前記液晶モジュールを挟持する枠体と、
前記収容体の後側面及び枠体の対向部分に介装され、該収容体及び枠体を該収容体の厚さ方向に離反させるように付勢する弾性体と
を備える
ことを特徴とする液晶表示装置。
【請求項２】
前記弾性体は板ばねである
ことを特徴とする
請求項１に記載の液晶表示装置。
【請求項３】
前記板ばねは穴部を有し、
該穴部と対向する前記収容体の後側面にて、該穴部に嵌合する突起が設けられている
ことを特徴とする請求項２に記載の液晶表示装置。
【請求項４】
前記枠体は前記収容体の後側面と対向する部分に内側に向かって開かれた切り欠きを有し、
前記板ばねは前記切り欠きの一部又は全部を閉塞するように設けられている
ことを特徴とする請求項３に記載の液晶表示装置。
【請求項５】
前記穴部より内側における前記板ばねの縁部に突片が設けられており、
前記突片は前記収容体の後側面に対して斜め後側に延在している
ことを特徴とする請求項３又は請求項４に記載の液晶表示装置。
【発明の詳細な説明】
【技術分野】
【０００１】
本発明は、液晶表示装置に関する。
【背景技術】
【０００２】
液晶表示装置において前後方向に積層される液晶パネル、光学シート等の各部材は、周縁に位置するベゼルで支持される。このベゼルを液晶表示装置から排除することにより、液晶表示装置の狭額縁化が進められている。しかし、一方で、ベゼルを備える液晶表示装置は、既存の生産設備、コスト等の観点から、継続して生産されている。ベゼルを備える液晶表示装置において、狭額縁化を実現するために、ベゼルに密着する４本の棒状枠体で各部材を固定することが考えられる。当該棒状枠体は断面形状が内側に向かって開いたコの字状をなし、各部材は棒状枠体により挟持される。
【０００３】
ところで、画像表示装置において、筐体と、導光板の周面に固定されたフレームとの間に設けた弾性体でフレームを導光板の面内方向に付勢することにより、導光板における面内方向の変形を吸収する技術がある（例えば、特許文献１参照）。
【先行技術文献】
【特許文献】
【０００４】
【特許文献１】特開２０１２−１４６５０４号公報
【発明の概要】
【発明が解決しようとする課題】
【０００５】
液晶表示装置において前後方向に積層される液晶パネル等の各部材の厚みには製造管理に起因するバラツキがあり、積層された各部材全体の厚みにもバラツキがある。当該各部材全体の厚みのバラツキを小さくするため、４本の棒状枠体を用いて当該各部材を前後方向の強い力で固定した場合、液晶パネル及び光学シートにゆがみ、しわ等が発生し、画像品位が劣化する。
【０００６】
他方、上記各部材を挟持する部分の間隔が広い棒状枠体を用いて、各部材を前後方向の弱い力で固定した場合、当該各部材にガタが生じ、液晶表示装置に組立不良が発生する。特許文献１の画像表示装置に倣い、弾性体を棒状枠体とベゼルとの間に介在させても、弾性体による力は各部材の面内方向に作用するため、厚さ方向における各部材の固定には資さない。
【０００７】
本発明は、かかる事情に鑑みてなされたものである。その目的は、狭額縁化を促進すると共に、前後方向に積層される各部材の厚さのバラツキを許容しつつ、各部材を固定することができる液晶表示装置を提供することにある。
【課題を解決するための手段】
【０００８】
本願に係る液晶表示装置は、前側から後側へ順次積層された液晶パネル、光学シート及びバックライト並びに前側が開口されており、少なくとも該光学シート及びバックライトを収容する箱状の収容体と、該液晶パネル及び収容体の周面側を覆うと共に、該液晶パネルの前側周縁部に当接する枠状部材とを有する液晶モジュールを備える液晶表示装置であって、前記液晶モジュールの周縁に沿って延在し、延在方向に直交する断面形状が前記液晶モジュール側に開いたコの字状をなし、前記収容体及び枠状部材に部分的に当接して、前記液晶モジュールを挟持する枠体と、前記収容体の後側面及び枠体の対向部分に介装され、該収容体及び枠体を該収容体の厚さ方向に離反させるように付勢する弾性体とを備えることを特徴とする。
【０００９】
本願に係る液晶表示装置では、液晶モジュールは、前側から後側へ順次積層された液晶パネル、光学シート、バックライト及び箱状の収容体を有している。収容体の前側は開口になっており、収容体は少なくとも光学シート及びバックライトを収容している。また、液晶モジュールは、液晶パネルと収容体との周面側を覆うと共に、液晶パネルの前側周縁部に当接する枠状部材を有している。液晶表示装置は、液晶モジュールの周縁に沿って延在し、延在方向に直交する断面形状が液晶モジュール側に開いたコの字状をなす枠体を備えている。枠体は、収容体及び枠状部材に部分的に当接して、液晶モジュールを挟持している。収容体の後側面と枠体との対向部分に、弾性体が介装されている。弾性体は、収容体と枠体とを収容体の厚さ方向に離反させるように付勢している。
これにより、前後方向の厚さにバラツキを有している液晶モジュールであっても、弾性体は液晶モジュールにおける厚さのバラツキを吸収することができる。弾性体から収容体及び枠体への付勢力は、液晶モジュールを適度な力で固定するので、液晶パネル、光学シート等にゆがみ、しわ等は生じず、液晶表示装置の画像品位は低減しない。液晶表示装置は、枠体が液晶モジュールの周縁を構成する枠状部材に当接することにより、狭額縁化を実現することができる。
【００１０】
本願に係る液晶表示装置は、前記弾性体は板ばねであることを特徴とする。
【００１１】
本願に係る液晶表示装置では、収容体の後側面と枠体との対向部分に設けられている弾性体は、板ばねである。
板ばねは、成形及び枠体への固定が容易であり、液晶表示装置の生産性を向上することができる。また、板ばねは、廉価であるため、コスト低減を実現することができる。
【００１２】
本願に係る液晶表示装置は、前記板ばねは穴部を有し、該穴部と対向する前記収容体の後側面にて、該穴部に嵌合する突起が設けられていることを特徴とする。
【００１３】
本願に係る液晶表示装置では、板ばねは穴部を有している。穴部と対向する収容体の後側面には、穴部に勘合する突起が設けられている。
これにより、収容体の突起は、突起に摺動して変形する板ばねの一連の動作により、板ばねの穴部に勘合することができる。収容体の突起が板ばねの穴部に勘合する場合、枠体は厚さにバラツキを有する液晶モジュールに固定される。
【００１４】
本願に係る液晶表示装置は、前記枠体は前記収容体の後側面と対向する部分に内側に向かって開かれた切り欠きを有し、前記板ばねは前記切り欠きの一部又は全部を閉塞するように設けられていることを特徴とする。
【００１５】
本願に係る液晶表示装置では、収容体の後側面と対向する枠体の部分に、内側に向かって開かれた切り欠きが設けられている。板ばねは、枠体に設けられた切り欠きの一部又は全部を閉塞している。
枠体の切り欠きは、板ばねが弾性変形により変位するための空間を提供する。そのため、液晶表示装置に板ばねが変位する空間を別途設ける必要がないため、切り欠きは狭額縁化に資する。
【００１６】
本願に係る液晶表示装置は、前記穴部より内側における前記板ばねの縁部に突片が設けられており、前記突片は前記収容体の後側面に対して斜め後側に延在していることを特徴とする。
本願に係る液晶表示装置は、前記液晶モジュール及び枠体の正面視形状は夫々矩形状をなし、前記弾性体は前記収容体の後側面と対向する前記枠体の少なくとも一辺に設けられていることを特徴とする。
【００１７】
本願に係る液晶表示装置では、穴部より内側における板ばねの縁部に、突片が設けられている。突片は、収容体の後側面に対して斜め後側に延在している。
枠体のコの字側を液晶モジュールの内側に向け、枠体を液晶モジュールに取り付ける際、突片は板ばねの穴部が収容体の突起へスムーズに移動するように、板ばねをガイドすることができる。
本願に係る液晶表示装置では、液晶モジュール及び枠体の正面視形状は夫々矩形状をなしている。弾性体は収容体の後側面と対向する枠体の一辺、二辺、三辺又は四辺に設けられている。
例えば枠体の四辺に弾性体を設けることにより、液晶モジュールを四方向に対して夫々均等な力で固定するので、液晶パネル、光学シート等にゆがみ、しわ等は生じず、液晶表示装置の画像品位は低減しない。
【００１８】
本願に係る液晶表示装置は、前記枠体の延在方向における前記切り欠きの縁部に該切り欠きよりも小さい第二切り欠きが更に設けられており、前記第二切り欠きと対向する前記板ばねの縁部から第二突片が該第二切り欠き内部へ延設されており、前記第二突片の先端部は後側に屈曲していることを特徴とする。
【００１９】
本願に係る液晶表示装置では、枠体の延在方向における切り欠きの縁部には、切り欠きよりも小さい第二切り欠きが設けられている。第二突片は、第二切り欠きと対向する板ばねの縁部から、第二切り欠き内部へ延設されている。第二突片の先端部は、後側に屈曲している。
板ばねに外部から捻り等の力が作用して、板ばねが変形した場合、第二突片は、第二切り欠きの内壁に当接することにより、板ばねの変位を規制する。これにより、板ばねの破損及び枠体からの落脱を防止することができる。
【００２０】
本願に係る液晶表示装置は、前記切り欠きは矩形状をなし、前記板ばねは矩形状をなし、前記第二突片が設けられた位置と反対側における前記板ばねの端部は、前記第二切り欠きと対向する前記切り欠きの縁部に固定されていることを特徴とする。
【００２１】
本願に係る液晶表示装置では、切り欠き及び板ばねは、夫々矩形状をなす。第二突片が設けられた側と反対側における板ばねの端部は、第二切り欠きと対向する切り欠きの縁部に固定されている。
切り欠き及び板ばねの形状は、成形しやすい矩形状である。板ばねは、矩形状をなすことにより、長手方向に沿って撓みやすくなる。板ばねは切り欠きが含まれる空間で前後方向に変位するため、板ばねの端部を切り欠きの近傍に固定する場合、その固定位置は第二切り欠きと対向する切り欠きの縁部が固定しやすい。
【００２２】
本願に係る液晶表示装置は、前記穴部及び突片は前記切り欠きを閉塞する前記板ばねの部分に設けられていることを特徴とする。
【００２３】
本願に係る液晶表示装置では、板ばねの穴部及び突片は、枠体の切り欠きを閉塞する板ばねの部分に設けられている。
枠体の切り欠きを閉塞する板ばねの部分は、板ばねが前後方向に変形する部分である。変形する板ばね部分に突片を設けることにより、枠体を液晶モジュールに取り付ける際、突片は、板ばねが収容体の突起に阻まれて液晶モジュールの内側へ侵入できなくなることを阻止する。また、変形する板ばね部分に穴部を設けることにより、板ばねが弾性変形に基づく復元力により前側に反り返る場合、板ばねの穴部は収容体の突起に嵌合されることができる。収容体の突起が板ばねの穴部に嵌合した場合、枠体は液晶モジュールに対して固定される。
【００２４】
本願に係る液晶表示装置は、前記枠体は四つの直線状の枠部材に分割可能であり、前記枠部材は夫々押出成型品であることを特徴とする。
【００２５】
本願に係る液晶表示装置では、枠体は四つの直線状の枠部材に分割されることができる。枠部材は夫々押出成型品である。
これにより、枠体の生産及び取り扱いが容易になる。
【００２６】
本願に係る液晶表示装置は、前記突起は、前記枠部材が該枠部材の延在方向に移動可能に、前記穴部に遊嵌されていることを特徴とする。
【００２７】
本願に係る液晶表示装置では、収容体の突起は、枠部材がその延在方向に移動することができるように、板ばねの穴部に遊嵌されている。
これにより、枠部材をその延在方向に移動させて、枠部材同士を互いに枠部材の端部で結合させることができる。
【００２８】
本願に係る液晶表示装置は、前記枠部材の端部同士を連結する連結具を備えることを特徴とする。
【００２９】
本願に係る液晶表示装置では、枠部材の端同士は、連結具で連結されている。
これにより、液晶モジュールに固定された枠部材は、互いに結合し合い、液晶表示装置の強度を増大させることができる。
【００３０】
本願に係る液晶表示装置は、前記板ばねは前記枠体にねじで固定されるためのねじ挿通穴を有することを特徴とする。
【００３１】
本願に係る液晶表示装置では、板ばねは枠体にねじで固定される。そのためのねじ挿通穴が板ばねに設けられている。
これにより、板ばねを強固に枠体に固定することができる。
【００３２】
本願に係る液晶表示装置は、前記板ばねは、前記枠体の延在方向に延び、前記収容体の後側面に当接する当接部と、前記収容体の後側面から離隔した離隔部と、前記枠体の延在方向における前記当接部の端部から内側かつ後側へ延在し、該当接部及び離隔部を結合する結合部とを有し、前記穴部は前記当接部に設けられており、前記ねじ挿通穴は前記離隔部に設けられていることを特徴とする。
【００３３】
本願に係る液晶表示装置では、板ばねは当接部、離隔部及び結合部を有している。当接部は、枠体の延在方向に延びた形状をなし、収容体の後側面に当接する。離隔部は、収容体の後側面から離隔している。結合部は、枠体の延在方向における当接部の端部から内側かつ後側へ延在し、当接部と離隔部とを結合している。収容体の突起に嵌合する穴部は、当接部に設けられている。板ばねを枠体にねじで固定するためのねじ挿通穴は、離隔部に設けられている。
これにより、枠体を液晶モジュールに取り付けた場合、結合部が撓むことにより当接部は収容体及び枠体を離反させる方向に付勢する。そのため、板ばねは前後方向における液晶モジュールの厚さにバラツキを許容しつつ、液晶表示装置の各部材を固定することができる。
【００３４】
本願に係る液晶表示装置は、前記離隔部は前記枠体の延在方向に直交する断面形状が外側に開いたコの字状をなし、前記収容体の後側面と対向する前記枠体部分を挟持し、前記ねじ挿通穴は前記枠体部分の外面と当接する前記離隔部の部分に設けられており、前記ねじ挿通穴に対応する前記枠体部分にねじ穴が設けられていることを特徴とする。
【００３５】
本願に係る液晶表示装置では、離隔部は枠体の延在方向に直交する断面形状が外側に開いたコの字状をなす。離隔部は、収容体の後側面と対向する枠体部分の内面及び外面を挟持する。ねじ挿通穴は、収容体の後側面と対向する枠体部分の外面と当接する離隔部の部分に設けられている。ねじ挿通穴に対応する枠体部分に、ねじ穴が設けられている。
これにより、板ばねを枠体に固定するためのねじ締結作業を、枠体の外側から行うことができ、作業効率が向上する。
【００３６】
本願に係る液晶表示装置は、前記収容体の後側面と対向する前記枠体部分の外面に当接する前記離隔部の部分に、前記ねじ挿通穴から前記枠体の延在方向に離隔した貫通穴が設けられており、前記貫通穴が設けられた前記離隔部の部分の外側縁部から第三突片が設けられており、前記第三突片は前記離隔部の部分に対して斜め後側に延在しており、前記貫通穴と対向する前記枠体部分に、該貫通穴に嵌合する第二突起が設けられていることを特徴とする。
【００３７】
本願に係る液晶表示装置では、収容体の後側面と対向する枠体部分の外面に当接する離隔部の部分に、貫通穴が設けられている。貫通穴は、ねじ挿通穴から枠体の延在方向に離隔している。貫通穴が設けられた離隔部の部分の外側縁部から第三突片が設けられている。第三突片は、離隔部の部分に対して斜め後側に延在している。貫通穴と対向する枠体部分に、貫通穴に嵌合する第二突起が設けられている。
これにより、板ばねは、ねじによる固定に加えて、第二突起と貫通穴との嵌合によっても、より強固に枠体に固定される。また、板ばねを枠体にねじで固定するために、収容体の後側面と対向する枠体部分に離隔部を挟み込む場合、第二突起が第三突片に乗り上げることで、第二突起はスムーズに貫通穴に嵌合することができる。
【００３８】
本願に係るテレビジョン受信機は、上記に記載の液晶表示装置と、テレビジョン放送を受信する受信部とを備え、前記液晶パネルは前記受信部が受信したテレビジョン放送に係る画像を表示するようにしてあることを特徴とする。
【００３９】
本願に係るテレビジョン受信機では、液晶表示装置と受信部とを備えている。液晶表示装置の液晶パネルは、受信部が受信したテレビジョン放送に係る画像を表示する。
これにより、テレビジョン受信機の組み立てに際し、前後方向の厚さにバラツキを有している液晶モジュールを採用することが可能となる。弾性体は液晶モジュールにおける厚さのバラツキを吸収することができる。弾性体から収容体及び枠体への付勢力は、液晶モジュールを適度な力で固定するので、液晶パネル、光学シート等にゆがみ、しわ等は生じず、テレビジョン受信機の画像品位は低減しない。テレビジョン受信機は、枠体が液晶モジュールの周縁を構成する枠状部材に当接することにより、狭額縁化を実現することができる。従って、テレビジョン受信機は、ユーザからのスタイリッシュな外観要求を充足すると共に、筐体サイズを変更することなく、より大きな画面を備えることができる。
【発明の効果】
【００４０】
本願に係る液晶表示装置によれば、狭額縁化を促進すると共に、前後方向に積層される各部材の厚さのバラツキを許容しつつ、各部材を固定することができる。
【図面の簡単な説明】
【００４１】
【図１】テレビジョン受信機を正面側からみた斜視図である。
【図２】テレビジョン受信機の背面図である。
【図３】テレビジョン受信機の上部中央における部分的な側断面図である。
【図４】上枠、側枠及び下枠並びに液晶モジュールを後側から見た斜視図である。
【図５】図４の部分的な拡大図である。
【図６】板ばねの斜視図である。
【図７】上枠を液晶モジュールに取り付ける工程を示す説明図である。
【図８】上枠を液晶モジュールに取り付ける工程を示す説明図である。
【図９】上枠を液晶モジュールに取り付ける工程を示す説明図である。
【図１０】上枠を液晶モジュールに取り付ける工程を示す説明図である。
【図１１】上枠、側枠及び下枠が取り付けられた液晶モジュールの背面図である。
【図１２】側枠及び下枠が取り付けられた液晶モジュールを後側から見た部分的な斜視図である。
【図１３】後側から見た液晶モジュールの左上部分と、上枠及び側枠夫々の一部とを拡大した部分拡大図である。
【図１４】板ばねの斜視図である。
【図１５】上枠の斜視図である。
【図１６】結合された上枠及び液晶モジュールを、突起５１１を通過する水平面で切断した断面図である。
【発明を実施するための形態】
【００４２】
本願に係る一実施例の液晶表示装置は、テレビジョン受信機、電子黒板、チューナに接続して使用されるモニタ、デスクトップ型コンピュータに接続して使用されるモニタ及びデジタルサイネージに利用されるディスプレイを含む。また、本願に係る一実施例の液晶表示装置は、タブレット型コンピュータ、ＰＤＡ（Personal Digital Assistant）及び携帯電話に利用されるディスプレイを含む。以下では、液晶表示装置の一例として、テレビジョン受信機を実施の形態に関する図面に基づいて説明する。
【００４３】
実施の形態１
図１は、テレビジョン受信機１を正面側からみた斜視図である。図２は、テレビジョン受信機１の背面図である。ここで、起立姿勢のテレビジョン受信機１が画像を表示する画面２１に対して視聴者が正対した場合、画面２１から視聴者側を前側又は正面側、その反対を後側又は背面側とする。画面２１は、横長の矩形状をなす。視聴者から画面２１に向かって、画面２１の長辺方向右側をテレビジョン受信機１の右側、画面２１の長辺方向左側をテレビジョン受信機１の左側とする。画面２１の短辺方向上側をテレビジョン受信機１の上側、画面２１の短辺方向下側をテレビジョン受信機１の下側とする。
【００４４】
テレビジョン受信機１は、液晶パネル２、バックキャビネット３、枠体４及びスタンド１００を含む。なお、図２では、スタンド１００は省略されている。
液晶パネル２は、前側に画面２１を有し、画面２１に画像を表示する。バックキャビネット３は、テレビジョン受信機１の後側を覆う筐体の一部である。バックキャビネット３は、例えば合成樹脂からなり、概ね後側に突出した皿状をなす。
【００４５】
枠体４は、上枠（枠部材）４１、２本の側枠（枠部材）４２、４３及び下枠（枠部材）４４を含む。組み立てられた状態のテレビジョン受信機１において、上枠４１、２本の側枠４２、４３及び下枠４４は、合体した枠体４を構成する。枠体４は、テレビジョン受信機１の前側周縁部と、周面とを構成する筐体の一部である。枠体４の前面視形状は、矩形状をなす。
【００４６】
枠体４の一部は、テレビジョン受信機１の後側周縁部を構成している。ただし、上枠４１、側枠４２、４３及び下枠４４の後側部分は、その最外縁部を除いて、バックキャビネット３に覆われている（図２）。
【００４７】
スタンド１００は、テレビジョン受信機１を床に対して起立姿勢に支持する矩形状の平板である。テレビジョン受信機１の背面下部中央に、スタンド１００の取付部１０１が設けられている。取付部１０１と例えばねじで固定された支柱１０２を介して、スタンド１００はテレビジョン受信機１に固定されている。
【００４８】
テレビジョン受信機１は、電源基板２００及びメイン基板３００を含む。電源基板２００及びメイン基板３００は、バックキャビネット３の内側に取り付けられている。
電源基板２００は、テレビジョン受信機１の各構成部に電力を供給する電源装置が実装された基板である。メイン基板３００は、テレビジョン放送に関する画像信号を受信するチューナ（受信部）３０１、液晶を駆動する素子、テレビジョン受信機１の各構成部を制御する制御部等が実装された基板である。
【００４９】
図３は、テレビジョン受信機１の上部中央における部分的な側断面図である。図３は、図１におけるIII−III線による断面を示している。図３における上方、下方、左方及び右方は、夫々テレビジョン受信機１における上側、下側、前側及び後側に対応する。図３では、バックキャビネット３は、省略されている。
テレビジョン受信機１は、液晶モジュール１０を含む。液晶モジュール１０は、テレビジョン受信機１の主要な複合部材であり、液晶パネル２、バックライト、駆動回路等を組み合わせたものである。
【００５０】
液晶モジュール１０は、バックライトシャーシ（収容体）５、反射シート６、導光板７、光学シート８、スペーサ２８、液晶パネル２及びベゼル（枠状部材）９を含む。液晶モジュール１０において、バックライトシャーシ５、反射シート６、導光板７、光学シート８、スペーサ２８及び液晶パネル２は、この順に後側から前側に積層されている。
【００５１】
なお、液晶モジュール１０を構成するバックライトシャーシ５、反射シート６、導光板７、光学シート８、スペーサ２８及び液晶パネル２における前後方向の各厚さには、各部材の製造管理に起因するバラツキがある。そのため、液晶モジュール１０の厚さは、部位によって異なる。液晶モジュール１０の厚さにおけるバラツキは、例えば１．０〜２．０ｍｍ程度である。
【００５２】
バックライトシャーシ５は、例えば鉄、アルミニウム又は銅からなり、プレス加工により形成される箱型の台である。
バックライトシャーシ５は、底壁５１及び側壁５２を含む。底壁５１は、矩形状の平板である。側壁５２は、底壁５１の４辺を構成する周部から前側に屈曲している。従って、バックライトシャーシ５は、前側が開口された箱状又は皿状をなす。なお、側壁５２は、底壁５１の周全体に設けられているのではなく、底壁５１の周部の一部に設けられている。
【００５３】
液晶モジュール１０を組み立てる場合、バックライトシャーシ５の内底面上に、反射シート６、導光板７、光学シート８、スペーサ２８及び液晶パネル２がこの順序で積層される。側壁５２の高さは、反射シート６、導光板７及び光学シート８の合計の厚さと略同一である。スペーサ２８及び液晶パネル２は、バックライトシャーシ５に収容されず、バックライトシャーシ５の開口面より前側に位置する。
【００５４】
底壁５１の後側面における周縁部には、複数の突起５１１が突設されている。突起５１１は、円柱状をなし、その高さは例えば１．５ｍｍ、その径は例えば２〜３ｍｍである。突起５１の先端部は、円錐台をなす。なお、突起５１１の先端部は、半球状でもよい。
【００５５】
反射シート６は、バックライトシャーシ５の底壁５１に対応した略矩形をなすフィルムである。反射シート６は、例えば高反射率を有する合成樹脂からなる。反射シート６は、導光板７から後側に出射された光を有効利用するために、当該光を前側に反射する。
【００５６】
導光板７は、矩形状の前面及び後面を有する平板であり、例えばアクリルからなる。導光板７は、自身の下部側面に対して対向配置された発光ダイオード（ＬＥＤ、図示せず）からの入光を内部で拡散し、かつ拡散した光を前面から光学シート８及び液晶パネル２に出射する。
【００５７】
反射シート６、導光板７及び発光ダイオードは、テレビジョン受信機１のバックライトを構成する部品である。
【００５８】
光学シート８は、略矩形のフィルムである。光学シート８の大きさは、導光板７及び液晶パネル２の大きさと略同一である。
光学シート８は、例えば１枚の反射偏光シート、１枚の拡散シート及び２枚のプリズムシートを含む。反射偏光シートは、例えば屈折率の互いに異なる層を交互に積層した多層構造を有し、指向性が高められた光をｐｓ分離すると共に、ｐ波だけを透過させ、ｓ波を選択的に反射する。拡散シートは、光を拡散する。プリズムシートは、隣接して配列された複数のレンズを有し、光の進行方向を制御する。
なお、光学シート８は、良好な表示性能が得られるように、視角の範囲を拡大する視野角拡大シートを含んでもよい。
【００５９】
スペーサ２８は、光学シート８と液晶パネル２との周縁部における隙間を調整する枠状の部材である。なお、スペーサ２８は、なくてもよい。
【００６０】
ベゼル９は、液晶モジュール１０の上部、下部及び左右の側部に配置される４つの長尺部材からなる。ベゼル９は、液晶モジュール１０における上下左右の側面側を覆うことにより、液晶モジュール１０の強度を高める機能を有している。各長尺部材は互いに接合されないが、組み立て後の液晶モジュール１０において、各長尺部材は全体として略矩形の枠状をなす。
【００６１】
ベゼル９は、内ベゼル９１及び外ベゼル９２を含む。内ベゼル９１は、例えば合成樹脂からなる。内ベゼル９１は、延在方向に直交する断面形状がＬ字状をなし、その角部は液晶モジュール１０の前側周縁部に位置する。内ベゼル９１は、バックライトシャーシ５の側壁５２、反射シート６、導光板７及び光学シート８の側面側と、バックライトシャーシ５の開口面の周縁とを覆っている。
【００６２】
外ベゼル９２は、例えば金属からなる。外ベゼル９２は、延在方向に直交する断面形状がＬ字状をなし、その大きさは内ベゼル９１より大きい。外ベゼル９２の角部の位置は、内ベゼル９１の角部より前側かつ外側である。外ベゼル９２は、内ベゼル９１を外側から覆うと共に、液晶パネル２の前面周縁部も覆っている。
【００６３】
上枠４１は、延在方向に直交する切断面で切断された場合、液晶モジュール１０の上部側面に向かってコの字状に開いた断面形状をなす。上枠４１の前側及び後側の角部は、夫々丸味を帯びている。上枠４１の前側内面は、外ベゼル９２の前側に当接している。上枠４１の後側内面は、バックライトシャーシ５の底壁５１から僅かに離隔している。ただし、上枠４１には後述する板ばね４７が設けられており、板ばね４７は底壁５１に当接している。板ばね４７の面は、上枠４１の後側面及びバックライトシャーシ５の底壁５１に対して略平行である。板ばね４７には後述する長穴４７２が設けられており、突起５１１は長穴４７２に嵌合している。これにより、上枠４１は、液晶モジュール１０に固定されている。液晶モジュール１０の上部は、上枠４１の前側部分と、後側部分に設けられた板ばね４７とで挟持されている。
【００６４】
側枠４２、４３及び下枠４４も、夫々延在方向に直交する切断面で切断された場合、上枠４１と同様に液晶モジュール１０の側面に向かってコの字状に開いた断面形状をなす。
側枠４２、４３の後側部分にも、板ばね４７が設けられている。側枠４２、４３も、底壁５１の突起５１１が長穴４７２に嵌合することにより、液晶モジュール１０に固定されている。液晶モジュール１０の側部は、側枠４２、４３の前側部分と、後側部分に設けられた板ばね４７とで挟持されている。
下枠４４に、板ばね４７は設けられていない。液晶モジュール１０の下部は、下枠４４の前側部分と、後側部分とで挟持されている。
【００６５】
図４は、上枠４１、側枠４２、４３及び下枠４４並びに液晶モジュール１０を後側から見た斜視図である。
上枠４１、側枠４２、４３及び下枠４４を液晶モジュール１０に取り付ける場合、コの字に開いた側を液晶モジュール１０の側面に近づける。そして、上枠４１及び側枠４２、４３における前側内面と板ばね４７とで、夫々液晶モジュール１０の上部及び側部の各縁部を挟み込む。また、下枠４４における前側内面と後側内面とで、液晶モジュール１０の下部の縁部を挟み込む。その際、液晶モジュール１０の厚さにはバラツキがあるため、板ばね４７を除いた上枠４１、側枠４２、４３及び下枠４４は、液晶モジュール１０の最も厚い部分の底壁５１に当接し、最も厚い部分以外の底壁５１に当接しないように構成されている。なお、ここでの液晶モジュール１０の厚さとは、枠体４が取り付けられる周縁部の厚さである。
【００６６】
図３に示すように、液晶モジュール１０に取り付けられた上枠４１と、外ベゼル９２の側面との間には僅かに隙間が生じている。他方、図示しないが、液晶モジュール１０に取り付けられた側枠４２、４３及び下枠４４と、外ベゼル９２の側面とは当接するように構成されている。ただし、液晶モジュール１０に取り付けられた側枠４２、４３及び下枠４４と、外ベゼル９２の側面との間に、０．５〜１ｍｍ程度の隙間が遊びとして設けられてもよい。
【００６７】
図５は、図４の部分的な拡大図である。図５は、後側から見た液晶パネル２の左上部分と、上枠４１及び側枠４３夫々の一部とを示している。
上枠４１及び側枠４３は、第一切り欠き（切り欠き）４５、第二切り欠き４６及び板ばね４７を含む。なお、図５には示されていないが、後側から見て右側の側枠４２も、第一切り欠き４５、第二切り欠き４６及び板ばね４７を含む。他方、下枠４４には、第一切り欠き４５、第二切り欠き４６及び板ばね４７は設けられていない。
【００６８】
第一切り欠き４５、第二切り欠き４６及び板ばね４７は、枠体４を液晶モジュール１０に取り付ける場合、底壁５１の後側面に設けられた複数の突起５１１の位置と略一致する位置に設けられている。上枠４１の場合、第一切り欠き４５、第二切り欠き４６及び板ばね４７は、上枠４１の例えば両端部及び中央の３カ所に夫々設けられている。側枠４２、４３の場合、第一切り欠き４５、第二切り欠き４６及び板ばね４７は、側枠４２、４３の例えば両端部の２カ所に夫々設けられている。
【００６９】
第一切り欠き４５は、底壁５１の後側面と対向する上枠４１及び側枠４２、４３の後側部分に設けられている。第一切り欠き４５は、内側に向かって開いた矩形状をなし、上枠４１又は側枠４２、４３の延在方向に延びた形状をなす。
【００７０】
第二切り欠き４６は、第一切り欠き４５よりも小さく、上枠４１又は側枠４２、４３夫々の延在方向において対向し合う第一切り欠き４５の２辺のいずれか一方側に設けられている。第二切り欠き４６は、上枠４１又は側枠４２、４３夫々の延在方向に沿って切り込まれており、その先端部は切り込み方向に凸の半円状をなす。
【００７１】
図６は、板ばね４７の斜視図である。図６Ａは、板ばね４７の後側を、テレビジョン受信機１の内側から外側へ向かって示している。図６Ｂは、板ばね４７の後側をテレビジョン受信機１の外側から内側に向かって示している。
板ばね４７は、細長く延びた矩形状の平板部材である。板ばね４７における長手方向の長さは、上枠４１及び側枠４２、４３夫々に設けられた第一切り欠き４５における長手方向の長さよりも長い。板ばね４７の素材は、例えばステンレス鋼、鉄鋼等である。
【００７２】
板ばね４７は、２つの円穴４７１、1つの長穴（穴部）４７２、第一突片（突片）４７
３及び第二突片４７４を含む。板ばね４７は、長手方向において、２つの円穴４７１が設けられている領域（以下、接合領域と呼ぶ）と、１つの長穴４７２が設けられている領域（以下、非接合領域と呼ぶ）とに分けることができる。接合領域及び非接合領域の長手方向における長さの比は、例えば１：２である。非接合領域の面積は、上枠４１及び側枠４２、４３夫々に設けられた第一切り欠き４５及び第二切り欠き４６の面積より狭い。
【００７３】
板ばね４７は、接合領域と非接合領域との間で、短手方向の折目４７ｔにより微小な角度（例えば、２〜３度）で前側に屈曲している。なお、板ばね４７は、折目４７ｔで不連続に屈曲するのではなく、連側的に湾曲していてもよい。
【００７４】
円穴４７１は、円形状の貫通穴である。円穴４７１は、板ばね４７の長手方向に沿って直列に２つ設けられている。
【００７５】
長穴４７２は、板ばね４７の長手方向に延びた長円形の貫通穴である。長穴４７２の長径は、バックライトシャーシ５に設けられた円柱状の突起５１１の径より長い。長穴４７２の短径は、突起５１１の径と略同一の長さを有している。長穴４７２の形状は、長円形に限らない。長穴４７２の全体的な形状は、円状、楕円状、オーバル状、矩形状等でもよい。
【００７６】
第一突片４７３は、非接合領域における長辺縁部から板ばね４７３の短手方向に延設された矩形状の突部である。第一突片４７３の中心と、長穴４７２の中心とを結ぶ方向は、板ばね４７の短手方向と略同一である。第一突片４７３の基部に隣接する板ばね４７の長辺縁部の２カ所には、略Ｕ字形の切り欠き４７３ｃが、夫々１つずつ設けられている。第一突片４７３は、板ばね４７の平坦面に対して斜め後側に延在している。
【００７７】
第二突片４７４は、非接合領域の短辺縁部から板ばね４７の長手方向に延設された矩形状の突部である。第二突片４７４の先端部は、テレビジョン受信機１の後側に略直角に屈曲している。
【００７８】
非接合領域が上枠４１及び側枠４２、４３夫々の第一切り欠き４５の一部を閉塞するように、板ばね４７の接合領域は、上枠４１及び側枠４２、４３夫々の平坦な内面に接合されている（図５）。板ばね４７の接合領域と、上枠４１及び側枠４２、４３夫々の内面との接合方法は、例えばリベット等を用いたカシメ止めである。板ばね４７を上枠４１及び側枠４２、４３に接合する際、板ばね４７の姿勢は、第一突片４７３が第一切り欠き４５の内側に位置し、第二突片４７４が第二切り欠き４６の中に内在するように調整される。
【００７９】
非接合領域は、折目４７ｔにおいて前側に屈曲している。そのため、板ばね４７の接合領域が上枠４１及び側枠４２、４３に接合された場合、非接合領域は上枠４１等の第一切り欠き４５よりも前側に突出した状態になる。非接合領域が第一切り欠き４５よりも前側に突出する程度は、上枠４１等を液晶モジュール１０に取り付けた場合、板ばね４７が弾性力によりバックライトシャーシ５の底壁５１を前側に付勢することができるように調整されている。
【００８０】
上枠４１等を液晶モジュール１０に取り付けた場合、長穴４７２の中心位置が突起５１１の中心軸と略一致するように、上枠４１等における第一切り欠き部４５及び第二切り欠き部４６の位置と、板ばね４７における長穴４７２の位置とは、決められている。
【００８１】
なお、板ばね４７の非接合領域の面積は、第一切り欠き４５の面積と略同一又はより広くてもよい。かかる場合、非接合領域は、第一切り欠き４５の全部を閉塞する。
また、板ばね４７の接合領域は、上枠４１及び側枠４２、４３の外面に接合されてもよい。
【００８２】
図７、図８、図９及び図１０は、上枠４１を液晶モジュール１０に取り付ける工程を示す説明図である。図７、図８、図９及び図１０は、上枠４１が液晶モジュール１０に取り付けられる工程を、図１におけるIII−III線による断面上で示している。図７、図８、図９及び図１０における上方、下方、左方及び右方は、夫々テレビジョン受信機１における上側、下側、前側及び後側に対応する。
【００８３】
上枠４１のコの字に開いた側が液晶モジュール１０の上部側面と対向するように、上枠４１の姿勢を定める（図７）。また、上枠４１を、その延在方向が液晶モジュール１０の上部側面と略平行になるようにして、液晶モジュール１０の上部に接近させる（図４、図５、図７）。このとき、板ばね４７の面は、バックライトシャーシ５の底壁５１と略平行である。板ばね４７の長穴４７２が、バックライトシャーシ５の突起５１１と対向するように、液晶モジュール１０に対して上枠４１の位置を決める。
【００８４】
上枠４１が液晶モジュール１０の上端部を挟んだ状態又は上枠４１が液晶モジュール１０の上部と対向した状態で、上枠４１を液晶モジュール１０の内側へ並進移動させる（図８）。上枠４１の前側内面は、外ベゼル９２の前面上を摺動する。上枠４１の後側内面は、バックライトシャーシ５の底壁５１から離隔した状態で、液晶モジュール１０の内側へ移動する。ただし、板ばね４７の非接合領域は、前側に屈曲しているため、底壁５１を前側に付勢した状態で、底壁５１上を摺動する。やがて、板ばね４７の第一突片４７３は、バックライトシャーシ５の突起５１１の手前に達する（図８）。
【００８５】
更に液晶モジュール１０内側への上枠４１の移動が継続する場合、斜め後側へ屈曲した板ばね４７の第一突片４７３は、突起５１１における先端部のテーパ部分に乗り上げ、第一切り欠き４５における開口面の位置を超えて後側へ弾性変形を起こす（図９）。長穴４７２より内側における板ばね４７の平坦部分は、第一突片４７３に案内されて後側へ弾性変形することにより、スムーズに突起５１１を乗り越えて液晶モジュール１０のより内側へ移動する。そして、長穴４７２は、突起５１１に接近する。
【００８６】
液晶モジュール１０の厚さにはバラツキがあるため、板ばね４７に対する突起５１１の高さにも多少のバラツキがある。しかし、板ばね４７は、突起５１１を乗り越える場合、突起５１１の高さに応じた弾性変形をする。そのため、上枠４１は、厚さがばらついた液晶モジュール１０に対して、柔軟に取り付けられる。
【００８７】
第一切り欠き４５は、板ばね４７に弾性変形をすることができる空間を付与するために設けられている。第一切り欠き４５が設けられていない場合、突起５１１に乗り上げた板ばね４７は、後側へ変形し、枠体４１の後側面に衝突する。そのため、板ばね４７は、それ以上の後側への移動が規制されてしまう。
なお、枠体４の内面と液晶モジュール１０の後側面との間に、板ばね４７が弾性変形するための空間を予め用意することができる場合、第一切り欠き部４５はなくてもよい。ただし、かかる場合、予め用意する空間の大きさだけ、テレビジョン受信機１の前後方向の厚さは厚くなり、薄型化に反することになる。
【００８８】
長穴４７２より内側における板ばね４７の平坦部分は、突起５１１の先端部に乗り上げる（図１０）。上枠４１は、板ばね４７が弾性変形を保持した状態で、液晶モジュール１０の内側へ更に移動する。
【００８９】
やがて、板ばね４７の長穴４７２は、突起５１１と重なる位置まで移動する。板ばね４７の非接合領域は、復元力により前側に反り返る。突起５１１は、長穴４７２に嵌合する（図３参照）。長穴４７２の短径（上枠４１の延在方向と略直交する方向の径又はテレビジョン受信機１における上下方向の径）は、突起５１１の径と略同一である。一方、長穴４７２の長径（上枠４１の延在方向又はテレビジョン受信機１における左右方向の径）は、突起５１１の径より長い。そのため、突起５１１が長穴４７２に嵌合する状態は、長穴４７２の短径方向については密嵌合であり、長穴４７２の長径方向については遊嵌である。
【００９０】
突起５１１が長穴４７２に嵌合した場合、上枠４１は液晶モジュール１０に対して上下方向に仮固定される。突起５１１が長穴４７２に嵌合した場合、上枠４１は液晶モジュール１０に対して左右方向に関して若干の遊びを有する状態で仮固定される。そのため、上枠４１の位置を液晶モジュール１０に対して左右方向に微調整することができる。
【００９１】
図７、図８、図９及び図１０では、上枠４１を液晶モジュール１０に取り付ける工程を示した。側枠４２、４３を液晶モジュール１０に取り付ける工程も図７、図８、図９及び図１０の工程と同様である。
突起５１１が長穴４７２に嵌合した場合、側枠４２、４３は液晶モジュール１０に対して左右方向に仮固定される。突起５１１が長穴４７２に嵌合した場合、側枠４２、４３は液晶モジュール１０に対して上下方向に関して若干の遊びを有する状態で仮固定される。そのため、側枠４２、４３の位置を液晶モジュール１０に対して上下方向に微調整することができる。
【００９２】
複数の突起５１１が夫々上枠４１及び側枠４２、４３に設けられた板ばね４７の長穴４７２に嵌合した場合、板ばね４７はバックライトシャーシ５の底壁５１を前側に付勢している。他方、底壁５１と対向する上枠４１及び側枠４２、４３の後側内面において、板ばね４７以外の部分は、最も厚い液晶モジュール１０の底壁５１部分に当接することはあっても、最も厚い部分以外の底壁５１に当接しない。
【００９３】
液晶モジュール１０の厚さにはバラツキがあるが、板ばね４７は液晶モジュール１０の厚さに応じた弾性力により底壁５１を前側に付勢する。これにより、板ばね４７は、厚さにバラツキを有する液晶モジュール１０に対して過度な力を及ぼすことなく、上枠４１及び側枠４２、４３を液晶モジュール１０に仮固定する。
【００９４】
なお、板ばね４７の非接合領域が底壁５１を前側に付勢する場合、板ばね４７の接合領域は上枠４１及び側枠４２、４３の後側部分を後側に付勢する。すなわち、板ばね４７は、底壁５１と上枠４１及び側枠４２、４３の後側部分とを離反する方向に付勢する。かかる場合、断面形状が略コの字である上枠４１及び側枠４２、４３の前側部分は液晶モジュール１０の前側周縁部を後側に付勢する。従って、板ばね４７は、上枠４１及び側枠４２、４３に対して液晶モジュール１０を挟持させるように作用する。
【００９５】
図１１は、上枠４１、側枠４２、４３及び下枠４４が取り付けられた液晶モジュール１０の背面図である。上枠４１の両端部と、側枠４２、４３の上端部とには、互いに勘合するほぞ組構造に係るほぞ４１１及びほぞ溝４３１が設けられている（図５参照）。このほぞ組構造により、左右方向に位置が微調整された上枠４１と、上下方向に位置が微調整された側枠４２、４３とは、繋ぎ合わされる。
【００９６】
テレビジョン受信機１は、筋交い（連結具）１１を含む。筋交い１１は、上枠４１と側枠４２、４３との間に挿入される斜材である。筋交い１１は、例えばアルミニウム、鉄、ステンレス等からなる。液晶モジュール１０を後側から示す図１１において、上枠４１の左端部と側枠４３の上端部との間及び上枠４１の右端部と側枠４２の上端部との間は、ねじ止めされた筋交い１１により連結されている。ほぞ組構造により繋ぎ合わされた上枠４１と側枠４２、４３との結合力は、筋交い１１により、増強される。
【００９７】
テレビジョン受信機１は、連結具１２を含む（図４、図１１参照）。連結具１２は、例えば、アルミニウム、鉄、ステンレス等からなる。底壁５１の下部には、突起５１１が設けられていない。そのため、下枠４４には、下枠４４を液晶モジュール１０に対して仮固定又は固定するための板ばね４７も設けられていない。そこで、下枠４４は、側枠４２、４３と連結具１２で連結されることにより、液晶モジュール１０に対して固定される。
【００９８】
図１２は、側枠４３及び下枠４４が取り付けられた液晶モジュール１０を後側から見た部分的な斜視図である。図１２は、左側下部における側枠４３及び下枠４４が連結具１２により連結固定された様子を示している。連結具１２は、例えばねじにより側枠４３の後側下端部に固定されている。連結具１２は、液晶モジュール１０を後側から見た場合、右側下部における側枠４２と下枠４４との間にも配設されている。左右の各連結具１２は、多少形状が異なるが、機能は同じである。
【００９９】
連結具１２は、切り起こし１２１を含む。切り起こし１２１は、例えば板金に対して半抜き加工された突起部が斜め後側に曲折された突部である。切り起こし１２１は、半抜き加工と曲げ加工とを同時に行うことにより形成されてもよい。図１２の例では、切り起こし１２１は、連結具１２の右下部分から上方かつ斜め後側に延在する矩形状の突部である。
【０１００】
下枠４４の後側部における両端部には、Ｔ字状の切り欠き４４１が設けられている。Ｔ字状の切り欠き４４１は、略上下方向の切り抜きと略左右方向の切り抜きとからなる。略左右方向の切り抜きは、略上下方向の切り抜きの中間から外側に切り抜かれている。連結具１２の切り起こし１２１は、Ｔ字状の切り欠き４４１における略左右方向の切り抜き部分に、前側から後側へ突出する形態で係止されている。
【０１０１】
液晶モジュール１０を後側から見た場合、下枠４４の右端部には、図１２に示すＴ字状の切り欠き４４１と左右対称な形状の切り欠き４４１が設けられている（図１１）。液晶モジュール１０を後側から見た場合、右側の連結具１２の切り起こし１２１も、Ｔ字状の切り欠き４４１における略左右方向の切り抜き部分に、前側から後側へ突出する形態で係止されている。
【０１０２】
液晶モジュール１０の上部及び側部に夫々仮固定された上枠４１、側枠４２、４３と、液晶モジュール１０の下部に取り付けられた下枠４４とは、筋交い１１及び連結具１２で連結されることにより、枠体４として液晶モジュール１０に対して堅牢に固定される。
【０１０３】
次に、テレビジョン受信機１の組み立て方法について説明する。以下では、液晶モジュール１０は予め組み立てが完了しているものとする。
液晶モジュール１０を略水平な台の上に、後側が上方に向いた状態で載置する。コの字に開いた側を内側に向けて側枠４２、４３を液晶モジュール１０の側部にあてがう。板ばね４７の長穴４７２が突起５１１と対向するように、液晶モジュール１０に対して側枠４２、４３を位置決めする。側枠４２、４３を押圧し、側枠４２、４３を液晶モジュール１０の内側へ並進させる。そして、突起５１１を板ばね４７の長穴４７２に嵌合させて、側枠４２、４３を液晶モジュール１０に仮固定する。
【０１０４】
側枠４２、４３と同様にして、上枠４１を液晶モジュール１０に仮固定する。上枠４１及び側枠４２、４３を液晶モジュール１０の周方向に微小移動し、上枠４１及び側枠４２、４３をほぞ組構造により繋ぎ合わせる。繋ぎ合わせた上枠４１及び側枠４２、４３を筋交い１１で連結する。
【０１０５】
コの字に開いた側を内側に向けて下枠４４を液晶モジュール１０の下部にあてがう。下枠４４を押圧し、下枠４４を液晶モジュール１０の内側へ並進させる。下枠４４を左右方向に微小移動し、下枠４４の両端部を側枠４２、４３の下部に接合する。
【０１０６】
切り起こし１２１が下枠４４の切り欠き４４１を係止するように、連結具１２を側枠４２、４３と下枠４４との間に配置する。その際、まず連結具１２の切り起こし１２１を切り欠き４４１における略上下方向の切り抜きに入れる。その後、切り起こし１２１を略上下方向の切り抜きから略左右方向の切り抜き部分に入れて、切り欠き４４１に係止させる。
【０１０７】
側枠４２、４３と下枠４４との間に配置した左右の各連結具１２を、ねじで側枠４２、４３に固定する。これにより、液晶モジュール１０に仮固定された上枠４１、側枠４２、４３及び下枠４４は、枠体４として合体し、液晶モジュール１０に固定される。
【０１０８】
枠体４が固定された液晶モジュール１０にバックキャビネット３を上方から接近させ、枠体４及び底壁５１にあてがう。枠体４に対してバックキャビネット３を位置合わせし、位置合わせしたバックキャビネット３をねじで液晶モジュール１０に固定する。
【０１０９】
本実施の形態では、板ばね４７でバックライトシャーシ５の底壁５１を前側に付勢した。しかし、バックライトシャーシ５の底壁５１を前側に付勢する弾性体は、板ばね４７に限らず、ゴム、空気ばね、軟質プラスチック等でもよい。例えば、弾性体としてゴムを利用する場合、突起５１１に密嵌合及び遊嵌する穴を設けた板状あるいは塊状のゴムを上枠４１等の後側内面に取り付ける。
あるいは、弾性体は、複数の材料からなる複合体としてもよい。例えば、突起５１１に密嵌合及び遊嵌する穴を設けた金属板が底壁５１と対向する弾性体の表面に接着されてもよい。これにより、上枠４１等を液晶モジュール１０に取り付ける際、金属板は例えばゴムよりも突起５１１上を滑り易いため、上枠４１等の取り付け作業が容易になる。
【０１１０】
本実施の形態では、テレビジョン受信機１のバックライトは、反射シート６、導光板７及び発光ダイオードからなり、エッジライト方式であった。しかし、テレビジョン受信機１のバックライトは、直下型方式でもよい。
【０１１１】
本実施の形態では、下枠４４に第一切り欠き４５、第二切り欠き４６及び板ばね４７は設けられておらず、底壁５１の下部に突起５１１は設けられていない。しかし、下枠４４に第一切り欠き４５、第二切り欠き４６及び板ばね４７を設け、底壁５１の下部に突起５１１を設けることにより、下枠４４は液晶モジュール１０に仮固定されてもよい。
【０１１２】
本実施の形態では、外ベゼル９２は、Ｌ字状の断面形状を有しており、その前面部が枠体４の前面部と液晶パネル２の前面周縁部との間に挟まれていた。しかし、外ベゼル９２の前面部はより狭幅であるか、あるいはなくてもよい。かかる場合、枠体４の前面部は、液晶パネル２の前面周縁部と当接するので、テレビジョン受信機１は外ベゼル９２の肉厚分だけ薄型化を実現することができる。
【０１１３】
テレビジョン受信機１によれば、狭額縁化を実現することができる。
枠体４を液晶モジュール１０に固定する手段としてねじが考えられる。しかし、ねじで枠体４と液晶モジュール１０とを固定する場合、ねじが螺合するためのボスを液晶モジュール１０の面内方向に設ける必要が生じる。当該ボスは、テレビジョン受信機１の狭額縁化に反する。また、枠体４と、組み立てが完了した既存の液晶モジュール１０とを、前後方向のねじで固定する場合、ねじ止めのためのねじ穴を液晶モジュール１０に新たに形成する必要があり、テレビジョン受信機１の生産性及び品質を損ねる。
【０１１４】
テレビジョン受信機１では、バックライトシャーシ５の突起５１１が板ばね４７の長穴４７２に嵌合することにより仮固定されるので、液晶モジュール１０の外側に、枠体４を液晶モジュール１０に固定するための部材を配置する必要がない。枠体４の結合強度及び枠体４と液晶モジュール１０との固定を強化する筋交い１１及び連結具１２は、液晶モジュール１０の内側に配置される部材である。従って、テレビジョン受信機１では、画面２１の外側には枠体４のみが配置され、狭額縁化が実現されている。
【０１１５】
液晶モジュール１０の厚さにはバラツキがある。しかし、液晶モジュール１０の底壁５１を前側に付勢するのは板ばね４７のみであり、枠体４の内面はほとんど底壁５１に当接しない。そのため、液晶モジュール１０を構成する光学シート８等に前後方向の強い力が及ぶことはなく、テレビジョン受信機１の画像品質が低下することはない。
液晶モジュール１０を前後方向に挟持する力の大きさは、板ばね４７の設計変更により容易に調整可能である。例えば、板ばね４７の厚さ、大きさ及び数を適宜増減することにより、画像品質を保持しつつ、テレビジョン受信機１の強度と製造コストとの最適化を図ることができる。更には、板ばね４７の素材も当該最適化のために適宜変更されてよい。
【０１１６】
第二突片４７４及び第二切り欠き４６は、板ばね４７の過度な変形及び移動を禁止するストッパの機能を有している。また、第二突片４７４及び第二切り欠き４６が板ばね４７の過度な変形及び移動を禁止することにより、上枠４１又は側枠４２、４３からの板ばね４７の離脱が防止される。
板ばね４７は、カシメ止めにより一端部（接合領域）が第一切り欠き４５の縁部に固定されている。他方、板ばね４７の他端は、自由端である。そのため、テレビジョン受信機１の組み立て時又は輸送時に生じる振動等が原因となり、外部から作用する捻り、振動、回転等の力により板ばね４７は変形することが懸念される。また、場合によっては、上枠４１又は側枠４２、４３から板ばね４７が離脱するおそれがある。しかし、板ばね４７が過度に変形しようとする場合、第二突片４７４に設けられた先端部が第二切り欠き４６の内壁と当接することにより、板ばね４７の変形は阻止され、上枠４１又は側枠４２、４３からの板ばね４７の離脱も防止される。
【０１１７】
実施の形態２
実施の形態２は、板ばね４７を上枠４１及び側枠４２、４３にねじで固定する形態に関する。
実施の形態１では、板ばね４７の接合領域と、上枠４１及び側枠４２、４３夫々の内面とを例えばリベット等を用いたカシメ止めにより接合した。実施の形態２では、板ばね４７の接合領域と、上枠４１及び側枠４２、４３夫々の外面とをねじにより接合する。
なお、実施の形態２において、実施の形態１と同様である構成要素には同一の参照番号を付してその詳細な説明を省略する。
【０１１８】
図１３は、後側から見た液晶モジュール１０の左上部分と、上枠４１及び側枠４３夫々の一部とを拡大した部分拡大図である。
板ばね４７は、ねじ４７０Ｓにより、上枠４１及び側枠４２、４３の後側部分に固定されている。ねじ４７０Ｓは、板ばね４７の円穴４７１（図１４参照）をねじ挿通穴とし、上枠４１及び側枠４２、４３の後側部分に設けられたねじ穴４１３に螺合している（図１５Ｂ参照）。
【０１１９】
また、上枠４１及び側枠４２、４３の後側部分の外面に、板ばね４７の円穴４７１に嵌合する突起４１２が設けられている。板ばね４７は、ねじ４７０Ｓによる固定に加えて、突起４１２、４３２と円穴４７１との嵌合により、強固に上枠４１及び側枠４２、４３に固定されている。
【０１２０】
バックライトシャーシ５の突起５１１が板ばね４７の穴部４７２０に嵌合することにより、上枠４１及び側枠４２、４３は液晶モジュール１０に仮固定される。この点は、実施の形態１において突起５１１が長穴４７２に嵌合することと同様である。
また、実施の形態２において、上枠４１及び側枠４２、４３に第二切り欠き４６は設けられておらず、板ばね４７に第二突片４７４は設けられていない。ただし、上枠４１及び側枠４２、４３に第二切り欠き４６が設けられてもよく、板ばね４７に第二突片４７４が設けられてもよいことは、勿論である。
【０１２１】
図１４は、板ばね４７の斜視図である。図１４は、板ばね４７の後側を、テレビジョン受信機１の内側から外側へ向かって示している。図１４の上部に、参考のために方位を示す。
板ばね４７は、当接部４７Ｔ、離隔部４７Ｓ及び結合部４７Ｊを含む。当接部４７Ｔは、上枠４１又は側枠４２、４３を液晶モジュール１０に取り付けた場合、バックライトシャーシ５の底壁５１に当接する板ばね４７の部分である。当接部４７Ｔには、バックライトシャーシ５の突起５１１が嵌合する円状の穴部４７２０が設けられている。なお、穴部４７２０の形状は、長円状、楕円状、オーバル状、矩形状等でもよい。
【０１２２】
離隔部４７Ｓは、上枠４１又は側枠４２、４３を液晶モジュール１０に取り付けた場合、バックライトシャーシ５の底壁５１から離隔する板ばね４７の部分である。離隔部４７Ｓは、上枠４１又は側枠４２、４３の長手方向と略直交する切断面で切断した場合、外側に向かって開いたコの字状をなす。上枠４１又は側枠４２、４３の後側部分は、隔離部４７Ｓにおけるコの字の内側に挟み込まれるように構成されている。
【０１２３】
上枠４１及び側枠４２、４３の後側部分の外面と当接する離隔部４７Ｓの部分に、２つの円穴４７１が上枠４１又は側枠４２、４３の長手方向に沿って設けられている。図１４において、手前側又は左側の円穴４７１は、板ばね４７を上枠４１及び側枠４２、４３に固定するためのねじ４７０Ｓが挿通するねじ挿通穴である。板ばね４７を上枠４１及び側枠４２、４３に固定すべく、ねじ４７０Ｓによる固定作業を容易にするために、円穴４７１は上枠４１及び側枠４２、４３の外面に当接する離隔部４７Ｓの後側面に設けられている。
【０１２４】
図１４において、奥側又は右側の円穴４７１は、板ばね４７を上枠４１及び側枠４２、４３に夫々固定するための突起４１２、４３２が嵌合する貫通穴である。突起４１２、４３２が上枠４１及び側枠４２、４３の外面に設けられており、突起４１２、４３２が嵌合する円穴４７１が離隔部４７Ｓの後側面に設けられている理由は、固定作業を容易にするためである。
【０１２５】
板ばね４７を上枠４１及び側枠４２、４３に取り付ける場合、離隔部４７Ｓのコの字に開いた側を上枠４１及び側枠４２、４３の後側部分に、内側から外側へ向かって接近させる。そして、離隔部４７Ｓで上枠４１及び側枠４２、４３の後側部分を挟み込む。その際、円穴４７１と突起４１２、４３２との嵌合がスムーズに行われるように、突起４１２、４３２を円穴４７１に案内するための第三突片４７５が離隔部４７Ｓの後側面に延設されている。第三突片４７５は、突起４１２、４３２と勘合する円穴４７１よりも外側位置であって、離隔部４７Ｓの後側面の外側縁部から斜め後側に延在している。離隔部４７Ｓを上枠４１及び側枠４２、４３の後側部分に、内側から外側へ押圧した場合、突起４１２、４３２が第三突片４７５に乗り上げることで、離隔部４７Ｓの取り付け作業は円滑に行われる。
【０１２６】
結合部４７Ｊは、当接部４７Ｔと離隔部４７Ｓとの間に位置し、当接部４７Ｔと離隔部４７Ｓとを結合する板ばね４７の部分である。結合部４７Ｊは、矩形状をなし、当接部４７Ｔ及び離隔部４７Ｓと夫々接する端部には、夫々上枠４１又は側枠４２、４３の長手方向と略平行な折目４７ｔが形成されている。折目４７ｔでの屈曲により結合部４７Ｊは前後方向に傾斜しており、当接部４７Ｔは離隔部４７Ｓに対してより前側に位置する。
【０１２７】
なお、離隔部４７Ｓは、上枠４１及び側枠４２、４３に接合する接合領域に対応する。他方、当接部４７Ｔ及び結合部４７Ｊは、上枠４１及び側枠４２、４３に接合しない非接合領域に対応する。
【０１２８】
図１５は、上枠４１の斜視図である。図１５Ａは、上枠４１の後側部分の外面を示している。図１５Ｂは、上枠４１の後側部分の内面を示している。図１５Ａ及び図１５Ｂ夫々の上部に、参考のために方位を示す。
上枠４１の後側部分の外面を後側から見た場合（図１５Ａ）、板ばね４７の当接部４７は、第一切り欠き４５を部分的に閉塞している。また、上枠４１の後側部分の外面を後側から見た場合、板ばね４７の離隔部４７Ｓは、ねじ４７０Ｓ及び突起４１２で固定されている。結合部４７Ｊの両端における折目４７ｔでの屈曲により、当接部４７は第一切り欠き４５の開口面よりも少し前側に張り出している。
【０１２９】
上枠４１の後側部分の内面を前側から見た場合（図１５Ｂ）、板ばね４７の当接部４７及び結合部４７Ｊが、上枠４１の後側部分の内面上に露出し、当接部４７Ｔの一部が第一切り欠き４５を部分的に閉塞している。結合部４７Ｊの両端における折目４７ｔでの屈曲により、当接部４７Ｔは第一切り欠き４５の開口面よりも少し前側に張り出している。上枠４１を液晶モジュール１０に取り付けた場合、この前側に張り出した当接部４７Ｔがバックライトシャーシ５の底壁５１を前側に付勢することにより、上枠４１は液晶モジュール１０を過度に押圧することなく、液晶モジュール１０に仮固定される。
【０１３０】
上枠４１における板ばね４７の配置は、上述の通りである。なお、側枠４２、４３における板ばね４７の配置は、上枠４１における板ばね４７の配置と同様であるため、その説明を省略する。
【０１３１】
図１６は、結合された上枠４１及び液晶モジュール１０を、突起５１１を通過する水平面で切断した断面図である。図１６は、図３におけるXVI−XVI線による断面を上方から示している。図１６の上方はテレビジョン受信機１の後側に、図１６の下方はテレビジョン受信機１の前側に対応する。
バックライトシャーシ５の底壁５１に設けられた突起５１１は、板ばね４７の当接部４７Ｔに設けられた穴部４７２０に嵌合している。これにより、上枠４１は液晶モジュール１０に固定されている。また、液晶モジュール１０の厚みにバラツキがあったとしても、板ばね４７の当接部４７Ｔは、液晶モジュール１０を前側に付勢しながら、前後に弾性変形する。これにより、突起５１１が穴部４７２０から抜けることはない。
【０１３２】
テレビジョン受信機１によれば、前後方向に積層される各部材の厚さのバラツキを許容しつつ、各部材を固定することができる。
板ばね４７は、各部材の厚さのバラツキを許容して液晶モジュール１０の底壁５１を前側に付勢する。実施の形態２に係る板ばね４７は、上枠４１及び側枠４２、４３を液晶モジュール１０に取り付ける場合、結合部４７Ｊが弾性変形することにより、当接部４７Ｔが底壁５１を押圧する。これにより、各部材は固定される。
【０１３３】
板ばね４７は、ねじ４７０Ｓにより上枠４１及び側枠４２、４３の後側部分に固定される。ねじ４７０Ｓの固定力は、例えばカシメ止めによる固定力よりも強固であるため、板ばね４７が上枠４１又は側枠４２、４３から脱落する虞はより低減される。
【０１３４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【０１３５】
また、実施の形態で記載されている技術的特徴（構成要件）は、お互いに組合せ可能であり、組み合わせすることにより、新しい技術的特徴を形成することができる。
【符号の説明】
【０１３６】
１          テレビジョン受信機
２          液晶パネル
２１        画面
３          バックキャビネット
４          枠体
４１        上枠（枠部材）
４１１      ほぞ
４１２      突起（第二突起）
４１３      ねじ穴
４２、４３  側枠（枠部材）
４３１      ほぞ溝
４３２      突起（第二突起）
４４        下枠（枠部材）
４４１      切り欠き
４５        第一切り欠き（切り欠き）
４６        第二切り欠き
４７        板ばね
４７１      円穴（ねじ挿通穴、貫通穴）
４７２      長穴（穴部）
４７２０    穴部
４７３      第一突片（突片）
４７４      第二突片
４７５      第三突片
４７Ｔ      当接部
４７Ｓ      離隔部
４７Ｊ      結合部
４７０Ｓ    ねじ
５          バックライトシャーシ（収容体）
５１        底壁
５１１      突起
５２        側壁
６          反射シート（バックライト）
７          導光板（バックライト）
８          光学シート
９          ベゼル（枠状部材）
１０        液晶モジュール
１１        筋交い（連結具）
１２        連結具
１２１      切り起こし
１００      スタンド
３０１      チューナ（受信部）
【図１】
0005616996.tif 000002
【図２】
0005616996.tif 000003
【図３】
0005616996.tif 000004
【図４】
0005616996.tif 000005
【図５】
0005616996.tif 000006
【図６】
0005616996.tif 000007
【図７】
0005616996.tif 000008
【図８】
0005616996.tif 000009
【図９】
0005616996.tif 000010
【図１０】
0005616996.tif 000011
【図１１】
0005616996.tif 000012
【図１２】
0005616996.tif 000013
【図１３】
0005616996.tif 000014
【図１４】
0005616996.tif 000015
【図１５】
0005616996.tif 000016
【図１６】
0005616996.tif 000017